(57)【要約】【課題】キッチンに組み込んだ本体下側からプログラムの書換え作業を簡単にしたい。【解決手段】本体の上面に配置し被加熱物を載置するトッププレートと、このトッププレートの下方設けられた加熱コイルと、この加熱コイルを駆動するインバータ部を制御する制御部と、前記インバータ部と前記制御部に夫々搭載したフラッシュマイコンとを備えた電磁誘導調理器において、前記本体の前面と底面に跨って開口する切換窓を有し、この切換窓には前面側面側となる窓最前部と、前記切換窓の前記底面側となる窓最後部とを備えてなり、前記窓最前部は前記底面に対して前記インバータ部と前記制御部のフラッシュマイコンに繋がる書込みコネクタの上面と略同等の高さに設けられ、窓最後部は、前記インバータ部と前記制御部のフラッシュマイコンに繋がる書込みコネクタに接近した位置に設けたもの。【選択図】図６
2012216320.tif 000002
【特許請求の範囲】
【請求項１】
本体の上面に配置し被加熱物を載置するトッププレートと、このトッププレートの下方設けられた加熱コイルと、この加熱コイルを駆動するインバータ部を制御する制御部と、前記インバータ部と前記制御部に夫々搭載したフラッシュマイコンとを備えた誘導加熱調理器において、
前記本体の前面と底面に跨って開口する切換窓を有し、この切換窓には前面側面側となる窓最前部と、前記切換窓の前記底面側となる窓最後部とを備えてなり、
前記窓最前部は前記底面に対して前記インバータ部と前記制御部のフラッシュマイコンに繋がる書込みコネクタの上面と略同等の高さに設けられ、窓最後部は、前記インバータ部と前記制御部のフラッシュマイコンに繋がる書込みコネクタに接近した位置に設けられていることを特徴とする誘導加熱調理器。
【請求項２】
請求項１記載の誘導加熱調理器において、
前記前面側面は前記本体の内側に傾斜するとともに、前記切換窓の一部は前記前面側面に開口していることを特徴とする誘導加熱調理器。
【請求項３】
請求項１記載の誘導加熱調理器において、
前記制御部は前記本体前方下から仰ぎ見て前記切換窓越しに目視可能であることを特徴とする誘導加熱調理器。
【請求項４】
請求項１記載の誘導加熱調理器において、
前記切換窓の寸法は前記窓最前部から前記窓最後部を結ぶ傾斜した空間距離で概ね奥行き略５ｃｍ、幅略１０ｃｍの大きさの開口であることを特徴とする誘導加熱調理器。
【発明の詳細な説明】
【技術分野】
【０００１】
本発明は、キッチンに組み込まれる誘導加熱調理器に関する。
【背景技術】
【０００２】
従来、この種の加熱調理器は、本体の上面にトッププレートを設け、本体にトッププレートの上面に配置された加熱調理の制御命令を入力する操作部と、その操作部に近接して配置する表示部と、トッププレートの下方の本体内に複数個の加熱コイルを備えた構造となっている。そして、その複数個の加熱コイルを駆動するインバータ部と、駆動を制御する制御部と、加熱コイルと本体内部を冷却するための冷却ファンが備えられている構造のものが知られている。
【０００３】
インバータ部と制御部には、フラッシュマイコンが搭載されている。このフラッシュマイコンは本体を組み上げた後でもプログラムの書き換えができるため、プログラムの改良バージョンに書き換えて不具合のない状態で顧客に出荷できるため広く利用されている。
【０００４】
例えば特許文献１には、業務用調理器の中に組込まれる電磁誘導加熱インバータで、略箱型のメインケース側面に横長穴の切換窓を設け、メインケース内にインバータ基板と制御基板を略水平に配置している。インバータ基板と制御基板にフラッシュマイコンを搭載しフラッシュマイコンに接続される書込みコネクタを備え、メインケースの切換窓から制御プログラムの書込み端子を書込みコネクタに接続して、フラッシュマイコンに制御プログラムの書込みができるように制御基板の部品取付け面に略平行の向きで取り付けられている。書込み終了後は、切換窓に平板状の切換えカバーを側面からネジ止めするものがある。
【０００５】
そのため、メインケースの側面からネジを外して切換えカバーを外して、メインケースの側面に開口する横長穴の切換窓の中に現れる書込みコネクタに切換窓の外からプログラムの書込み端子を真横から挿入して、書込みコネクタと接続してプログラムを書き込むものであった。
【先行技術文献】
【特許文献】
【０００６】
【特許文献１】特開２０１０−２７７６９１号公報
【発明の概要】
【発明が解決しようとする課題】
【０００７】
以上背景技術に示すものでは、キッチンに組込む電磁誘導調理器においては、キッチンに本体を組込んで固定した後に、顧客要求や改良、不具合などにより、プログラムの書換え作業をする場合がある。
【０００８】
しかしながら上記背景技術は、本体側面からネジを締めて切換えカバーを固定しているので、キッチンに組込んだ状態ではネジと切換えカバーを外すことができず、一度キッチンから本体を外して本体の側面を露出して作業する必要があり大変手間がかかる作業を強いられていた。
【０００９】
本発明の目的は、本体内部の書込みコネクタにプログラムの書込み端子を挿入してプログラムの書換え作業が安全かつ容易に実施できる誘導加熱調理器を提供することにある。
【課題を解決するための手段】
【００１０】
上記目的は、本体の上面に配置し被加熱物を載置するトッププレートと、このトッププレートの下方設けられた加熱コイルと、この加熱コイルを駆動するインバータ部を制御する制御部と、前記インバータ部と前記制御部に夫々搭載したフラッシュマイコンとを備えた誘導加熱調理器において、前記本体の前面と底面に跨って開口する切換窓を有し、この切換窓には前面側面側となる窓最前部と、前記切換窓の前記底面側となる窓最後部とを備えてなり、前記窓最前部は前記底面に対して前記インバータ部と前記制御部のフラッシュマイコンに繋がる書込みコネクタの上面と略同等の高さに設けられ、窓最後部は、前記インバータ部と前記制御部のフラッシュマイコンに繋がる書込みコネクタに接近した位置に設けられていることにより達成される。
【００１１】
また上記目的は、前記前面側面は前記本体の内側に傾斜するとともに、前記切換窓の一部は前記前面側面に開口していることが好ましい。
【００１２】
また上記目的は、前記制御部は前記本体前方下から仰ぎ見て前記切換窓越しに目視可能であることが好ましい。
【００１３】
また上記目的は、前記切換窓の寸法は前記窓最前部から前記窓最後部を結ぶ傾斜した空間距離で概ね奥行き略５ｃｍ、幅略１０ｃｍの大きさの開口であることが好ましい。
【発明の効果】
【００１４】
本発明によれば、本体をキッチンに組込んだ状態においても、キッチンの収納部側から本体底面の切換えカバーのネジを外して切換えカバーを外すことで本体の切換窓が露出するいので、本体内部の書込みコネクタにプログラムの書込み端子を挿入してプログラムの書換え作業が安全かつ容易に実施できる誘導加熱調理器を提供できる。
【図面の簡単な説明】
【００１５】
【図１】本発明の実施例に係る誘導加熱調理器をキッチンに組込んだ外観斜視図である。
【図２】本発明の実施例に係る誘導加熱調理器の斜視図である。
【図３】本発明の実施例に係る誘導加熱調理器のトッププレート組を外した本体内部の構造図である。
【図４】本発明の実施例に係る誘導加熱調理器の加熱コイルを外した本体内部の構造図である。
【図５】本発明の実施例に係る誘導加熱調理器をキッチンに組込んだ状態を前方下から仰ぎ見る斜視図である。
【図６】本発明の実施例に係る誘導加熱調理器をキッチンに組込んだ状態で切換えカバーを外し、前方下から仰ぎ見る斜視図である。
【図７】本発明の実施例に係る誘導加熱調理器の切換えカバーを外した正面図である。
【図８】本発明の実施例に係る誘導加熱調理器の切換窓部の横断面図である。
【図９】本発明の実施例に係る誘導加熱調理器の切換窓部の切換えカバーを外した横断面図である。
【発明を実施するための形態】
【００１６】
以下、本発明の一実施例を上記した図１から図９に従って説明する。
【実施例１】
【００１７】
本実施例は、システムキッチンに嵌め込むビルトイン型の誘導加熱調理器を対象としているため、まずビルトイン型誘導加熱調理器について説明する。  
図１は本発明の実施例に係る誘導加熱調理器をキッチンに組込んだ外観斜視図である。  
図２は本発明の実施例に係る誘導加熱調理器の斜視図である。
【００１８】
図１、図２において、１はキッチンであり、カウンタートップ１ａの下部に箱型の収納部１ｂを設けられ、扉１ｃとその上部の側板１ｅで前面が覆われている。カウンタートップ１ａに設けた取り付け穴１ｄの上面から誘導加熱調理器本体７（以下、本体７という）が落とし込まれ、本体７のフランジ部７ａ（図３に示す）で支えるようになっている。その後、収納部１ｂの内側に手を入れて金具３１のネジを締めてカウンタートップ１ａの下側に押し当てて固定される。
【００１９】
本体７は、カウンタートップ１ａに設けた取り付け穴１ｄの上部から落とし込み易いように、本体７の底面７ｇ（図５に示す）が取り付け穴１ｄより面積が小さくなるように、本体７の前面側の前面側面７ｆが本体内側に傾斜している。
【００２０】
誘導加熱調理器の本体７の上面にはトッププレート２が水平に配置されている。トッププレート２は、耐熱性の高い結晶化ガラス製の厚さ約４mmのもので構成され、鉄等の磁性体又はアルミ等の非磁性体よりなる鍋等の調理容器を載置する。また、トッププレート２には、鍋を載置する位置を円で示す前側鍋載置部５と奥側鍋載置部６が設けられている。
【００２１】
前側鍋載置部５と奥側鍋載置部６に対応するようにトッププレート２の下方で本体７内の上部に、環状に形成された前側加熱コイル８と奥側加熱コイル９（図３に示す）が夫々本体７の左前と右後で対角に配置されてトッププレート２に載置された鍋等を誘導加熱する。
【００２２】
トッププレート２の周囲は枠２ａで覆われ、枠２ａの前部には操作表示部４が備えられ、後部には着脱自在の排気カバー３が備えられている。これらトッププレート２、枠２ａ、排気カバー３、操作表示部４によりトッププレート組１９は構成されている。
【００２３】
操作表示部４は、前側加熱コイル８と奥側加熱コイル９に対応した位置に前側操作部２０、奥側操作部２１、前側表示部２２、奥側表示部２３とが設けられている。前側操作部２０、奥側操作部２１、前側表示部２２、奥側表示部２３は前側加熱コイル８と奥側加熱コイル９の通電状態の設定や操作を行い、通電状態等を表示するものである。１２は後述する切換えカバーである。
【００２４】
図３は本発明の実施例に係る誘導加熱調理器のトッププレート組を外した本体内部の構造図である。  
図４は本発明の実施例に係る誘導加熱調理器の加熱コイルを外した本体内部の構造図である。
【００２５】
図３、４において、本体７の前側中央部には、本体７の底面７ｇ（図５，図６に示す）より外気を吸気する。メインファン１６は吸気された空気は本体７の後向きに送風するためのものである。このメインファンによって空気はダクト１１ａで誘導されてインバータ部１１を冷却することになる。前側加熱コイル８の下部には本体７の底面７ｇより吸気して、前側加熱コイル８を専用に冷却するための前側ファン１７が設けられている。また、奥側加熱コイル９の下部には本体７の底面７ｇより吸気して、奥側加熱コイル９を専用に冷却するための奥側ファン１８が設けられている。
【００２６】
本体７の後部には、メインファン１６、前側ファン１７、奥側ファン１８より流れる冷却風を本体７外へ排出するための排気口２４が設けられている。この排気口２４より出た冷却風は、図２に示す枠２ａに設けられた排気カバー３から上方に向けて排気される。
【００２７】
インバータ部１１は、前加熱コイル８の下部に配置され、制御部１０は、奥側加熱コイル９の下部に配置されている。制御部１０は下ケース１０ｂ（図６，図７に示す）に載り、制御部１０の上側の一部は上ケース１０ａを備えている。
【００２８】
インバータ部１１は、前側加熱コイル８と奥側加熱コイル９を駆動し、発熱部品であるヒートシンク１１ｂを前側加熱コイルの奥側に搭載している。ダクト１１ａで冷却風の流れを整え、ヒートシンク１１ｂなど放熱が必要な部品をダクト１１ａで覆うことにより効率よく冷却をしている。
【００２９】
インバータ部１１にはフラッシュマイコンが備えられており、フラッシュマイコンに書き込まれたプログラムによって、前側加熱コイル８と奥側加熱コイル９の駆動が行なわれている。奥側加熱コイル９の下には、制御部１０と一体となった電源部３０が配置されている。
【００３０】
制御部１０は、図２に示した前側操作部２０や奥側操作部２１からの入力に基づきインバータ部１１を制御し前側加熱コイル８や奥側加熱コイル９へ供給する電力を制御する。また、加熱時は前側加熱コイル８や奥側過熱コイル９に備える温度センサ２５からの情報に基づきインバータ部１１を制御して前記同様に前側加熱コイル８や奥側加熱コイル９へ供給する電力を制御する。
【００３１】
制御部１０には、フラッシュマイコンを備えられており、フラッシュマイコンに書き込まれたプログラムによってインバータ部１１と表示部操作表示部４の表示とを制御している。
【００３２】
制御部１０には、インバータ部１１に備えられたフラッシュマイコンに繋がるＩＨ書込みコネクタ１４と、制御部１０に備えるフラッシュマイコンに繋がるセイギョ書込みコネクタ１３を制御部１０の前端部１０ｄに横に並べて設けている。そのセイギョ書込みコネクタ１３とＩＨ書込みコネクタ１４は、制御部１０の部品取付け面１０ｃと略平行に着脱する型のコネクタによって、略水平に本体の前後方向に着脱するように、本体７の前方向にコネクタの接続口を向けて配置されている。
【００３３】
図５は本発明の実施例に係る誘導加熱調理器をキッチンに組込んだ状態を前方下から仰ぎ見る斜視図である。  
図６は本発明の実施例に係る誘導加熱調理器をキッチンに組込んだ状態で切換えカバーを外し、前方下から仰ぎ見る斜視図である。  
図７は本発明の実施例に係る誘導加熱調理器の切換えカバーを外した正面図である。  
図８は本発明の実施例に係る誘導加熱調理器の切換窓部の横断面図である。  
図９は本発明の実施例に係る誘導加熱調理器の切換窓部の切換えカバーを外した横断面図である。
【００３４】
なお、図５、６はカウンタートップ１ａの取付穴１ｄに本体７を落とし込んで金具３１でカウンタートップ１ａに固定している状態であり、本体７を前方の下方から仰ぎ見た状態の図で示している。
【００３５】
図５〜図７において、本体７には、コネクタの接続が容易にできるように、本体７の前面側面７ｆと底面７ｇに跨って開口する切換窓７ｈが設けられている。この切換窓７ｈにおいて、前面側面７ｆに設けられる窓最前部７ｅの位置は、底面７ｇに対してセイギョ書込みコネクタ１３またはＩＨ書込みコネクタ１４の上面と略同等の高さまで開口する位置となっている。また、底面７ｇに設けられる窓最後部７ｄの位置は、親指と人差し指とでプログラムの書込み端子を摘んでセイギョ書込みコネクタ１３またはＩＨ書込みコネクタ１４に接続するのに必要な広さが得られる位置に設けられている。その寸法は窓最前部７ｅから窓最後部７ｄを結ぶ傾斜した空間距離で概ね奥行き略５ｃｍ、幅略１０ｃｍの大きさの開口である。
【００３６】
また、切換窓７ｈの一部は本体７の前面側面７ｆ（本体内側に傾斜する部分）にも開口するので、生産現場やキッチン１に組込む前の工場出荷状態でセイギョ書込みコネクタ１３またはＩＨ書込みコネクタ１４にプログラムの書込み端子を接続する作業性にも配慮されている。
【００３７】
本体前面の角穴７ｂに爪１２ａを挿入し、本体７のネジ孔７ｃにネジ１５で固定して、本体７の前面側面７ｆと底面７ｇに跨って切換えカバー１２を固定している。この切換えカバー１２を本体７から外すと、切換窓７ｈが現れることになる。
【００３８】
本体７底部の切換窓７ｈの窓最後部７ｄに制御部１０の前端部１０ｄ（図８，図９に示す）を近接して配置している。
【００３９】
図６に示すように、図４に示した制御部１０の前端部１０ｄに備えるセイギョ書込みコネクタ１３とＩＨ書込みコネクタ１４は本体７前方下から仰ぎ見て切換窓７ｈ越しに下ケース１０ｂの上方に目視して確認できる位置に設けられている。
【００４０】
ここで、キッチン１に本実施例による誘導加熱調理器が組込まれた状態でフラッシュマイコンへのプログラムの書換え作業を図８，図９を使って説明する。
【００４１】
まず、図８に示すように閉じられていたキッチン１の扉１ｃを図９に示すように開き、収納部１ｂの内側に手を入れて、本体７の底面に切換えカバー１２を固定しているネジ１５をドライバで回して外す。その後、本体前面の角穴７ｂから爪１２ａを外してから本体７から切換えカバー１２を外すと、本体７の前面から底面７ｇに跨って開口する切換窓７ｈが現れる。
【００４２】
切換窓７ｈにおいて、前面側面７ｆに設けられる窓最前部７ｅの位置は、底面７ｇに対してセイギョ書込みコネクタ１３またはＩＨ書込みコネクタ１４の上面と略同等の高さまで開口する位置に設けられている。また、底面７ｇに設けられる窓最後部７ｄの位置は、親指と人差し指とでプログラムの書込み端子を摘んでセイギョ書込みコネクタ１３またはＩＨ書込みコネクタ１４に接続するのに必要な広さが得られる位置に設けている。
【００４３】
特に前面側面７ｆは、底面７ｇに対してセイギョ書込みコネクタ１３またはＩＨ書込みコネクタ１４の上面と略同等の高さまで開口しているため、書き込み端子を持った手を挿入できる広さはキッチンの側板１ｅまで広がることになる。
【００４４】
そのため、親指と人差し指とでプログラムの書込み端子を摘んでセイギョ書込みコネクタ１３またはＩＨ書込みコネクタ１４に接続する作業を更に安全に行え、そして確実に新しいプログラムを書き込む作業が実施することが可能となる。
【００４５】
そして、収納部１ｂの内側に手を入れて、切換窓７ｈに親指と人差し指とでプログラムの書込み端子を摘んでセイギョ書込みコネクタ１３とＩＨ書込みコネクタ１４の片方又は両方に順次接続する。その後、プログラムの書込み装置を動作させて、フラッシュマイコンにプログラムの書込みを行なう。
【００４６】
このプログラムの書込み装置によって書込みが正常に行なわれルと、収納部１ｂの内側に手を入れて、セイギョ書込みコネクタ１３、ＩＨ書込みコネクタ１４からプログラムの書込み端子を外す。その後、収納部１ｂの内側に手を入れて、本体前面の角穴７ｂに爪１２ａを嵌めて、本体７の底面７ｇに切換えカバー１２を被せてネジ１５をドライバで回して締めて本体７に切換えカバー１２を固定する。
【００４７】
以上で作業が終了する。
【００４８】
上記したように本実施例によれば、本体７をキッチン１に組込んだ状態においても、キッチン１の収納部１ｂ側から底面７ｇの切換えカバー１２のネジ１５を外して、切換えカバー１２を外せるので、本体７の切換窓７ｈが露出され、本体７内部のセイギョ書込みコネクタ１３、ＩＨ書込みコネクタ１４にプログラムの書込み端子を挿入してプログラムの書換え作業が安全かつ容易に実施することができる。
【符号の説明】
【００４９】
２…トッププレート、４…操作表示部、７…本体、７ｄ…窓最後部、７ｅ…窓最前部、７ｆ…前面側面、７ｇ…底面、７ｈ…切換窓、８…前側加熱コイル、９…奥側加熱コイル、１０…制御部、１０ｄ…前端部、１１…インバータ部、１２…切換えカバー、１３…セイギョ書込みコネクタ、１４Ｉ…Ｈ書込みコネクタ、１５…ネジ、２０…前側操作部、２１…奥側操作部、２２…前側表示部、２３…奥側表示部。
【図１】
2012216320.tif 000003
【図２】
2012216320.tif 000004
【図３】
2012216320.tif 000005
【図４】
2012216320.tif 000006
【図５】
2012216320.tif 000007
【図６】
2012216320.tif 000008
【図７】
2012216320.tif 000009
【図８】
2012216320.tif 000010
【図９】
2012216320.tif 000011